(57)【要約】【課題】重量の大きい打撃工具でも楽に運搬や移動を可能とする。【解決手段】打撃工具用補助ローラ１は、本体２と、その本体２を移動可能に支持するローラ３とを備え、本体２の上部に、電動ハンマ２０のハウジング２１に差し込み可能なシャンク５を突設している。よって、シャンク５をハウジング２１へビットに代えて差し込むと、電動ハンマ２０をハウジング２１の下向き姿勢で支持可能となる。【選択図】図１
2008279545.tif 000002
【特許請求の範囲】
【請求項１】
本体と、その本体を移動可能に支持するローラとを備え、前記本体の上部に、ハウジングの先端にビットを着脱可能に挿着する打撃工具の前記ハウジングに差し込み可能なシャンクを突設して、前記シャンクを前記ハウジングへビットに代えて差し込むことで、前記打撃工具を前記ハウジングの下向き姿勢で支持可能としてなる打撃工具用補助ローラ。
【請求項２】
シャンクは、ハウジングへの差し込み状態で打撃工具内の打撃子又は中間子が当接しない長さで形成されていることを特徴とする請求項１に記載の打撃工具用補助ローラ。
【請求項３】
本体に、シャンクが上向きとなる姿勢で前記本体を支持するスタンドを、前記本体を支持しない収納位置へ折り畳み可能に設けたことを特徴とする請求項１又は２に記載の打撃工具用補助ローラ。
【発明の詳細な説明】
【技術分野】
【０００１】
本発明は、電動ハンマ等の重量の大きい打撃工具を運搬等する際に使用する打撃工具用補助ローラに関する。
【背景技術】
【０００２】
ハツリや地固め等に用いられる電動ハンマやハンマードリル等の大型の打撃工具には、重量が２０〜３０ｋｇとなるものがある（非特許文献１）。
【０００３】
【非特許文献１】マキタ総合カタログ２００７−４（３１頁「電動ハンマ」）
【発明の開示】
【発明が解決しようとする課題】
【０００４】
このように重量が大きいと、運搬は勿論、作業場所の僅かな移動でも作業者への負担は増大する。台車やハンドルキャリー等を使用した運搬も考えられるが、いちいち積み卸しをするのが面倒で作業の邪魔にもなる上、汎用品であるために運搬時の安定も悪く、使い勝手が良いとは言えない。
【０００５】
そこで、本発明は、重量の大きい打撃工具でも楽に運搬や移動が可能となり、コンパクトで使い勝手にも優れた打撃工具用補助ローラ（以下単に「補助ローラ」という。）を提供することを目的としたものである。
【課題を解決するための手段】
【０００６】
上記目的を達成するために、請求項１に記載の発明は、本体と、その本体を移動可能に支持するローラとを備え、本体の上部に、ハウジングの先端にビットを着脱可能に挿着する打撃工具のハウジングに差し込み可能なシャンクを突設して、シャンクをハウジングへビットに代えて差し込むことで、打撃工具をハウジングの下向き姿勢で支持可能としたことを特徴とするものである。
請求項２に記載の発明は、請求項１の目的に加えて、補助ローラの使用状態でシャンクが打撃されないようにするために、シャンクは、ハウジングへの差し込み状態で打撃工具内の打撃子又は中間子が当接しない長さで形成されていることを特徴とするものである。
請求項３に記載の発明は、請求項１又は２の目的に加えて、補助ローラの使い勝手をより向上させるために、本体に、シャンクが上向きとなる姿勢で本体を支持するスタンドを、本体を支持しない収納位置へ折り畳み可能に設けたことを特徴とするものである。
なお、本発明でいう打撃工具の「ハウジング」とは、打撃機構を内設する本体前方に別体で連結されたツールホルダ等の前端ハウジングも含む。
【発明の効果】
【０００７】
請求項１に記載の発明によれば、重量の大きい打撃工具でも楽に運搬や移動が可能となり、運搬時の安定も良好となる。また、補助ローラ自体はコンパクトな構成で、打撃工具への装着もビットと同様にシャフトの差し込みで足りるため、作業の邪魔になることがなく、着脱も容易となって使い勝手に優れる。
請求項２に記載の発明によれば、請求項１の効果に加えて、補助ローラの使用状態で打撃工具が誤動作してもシャンクが打撃されるおそれがない。
請求項３に記載の発明によれば、請求項１又は２の効果に加えて、補助ローラによって打撃工具を縦姿勢で一時置きでき、より使い勝手が向上する。
【発明を実施するための最良の形態】
【０００８】
以下、本発明の実施の形態を図面に基づいて説明する。
図１は、本発明の補助ローラ１の一例を示す説明図で、補助ローラ１は、ブロック状の本体２に、両端にローラ３，３を設けた軸４を回転可能に軸支させると共に、本体２の上側に、軸４と直交状にシャンク５を回転可能に突設してなる。このシャンク５は、打撃工具としての電動ハンマ２０に装着されるビットと同じ形状（ここでは先端側が横断面六角形の軸体となっている。）を有し、電動ハンマ２０のハウジング２１の先端に差し込み可能となっている。
電動ハンマ２０は、ハウジング２１内に保持されるシリンダ２２内に、図示しないモータの駆動によって往復動するピストンを有し、そのピストンの往復動に連動する打撃子２３が、その前方の中間子２４を介してハウジング２１先端のツールホルダに差し込まれたビットを打撃する周知の構成で、ツールホルダには、差し込まれたビットの中間に周設したフランジに係止してビットの前方への飛び出しを規制するリテーナ２５が、ビットに沿って倒れる倒伏位置と、ビットから離れて起き上がる起立位置との間で起伏操作可能に設けられ、常態では倒伏位置へ付勢されている。よって、ここではシャンク５にもリテーナ２５が係止するフランジ６が形成されている。
【０００９】
一方、本体２には、スタンド７が装着されている。このスタンド７は、図２，３に示すように、本体２の側方で軸４と平行な水平軸８によって回転可能に連結される板状体で、中間部位に穿設された角穴９内には、水平軸８寄りの端部に設けた回転軸１０を中心として、角穴９内からシャンク５側へ突出可能な方杖部材１１が回転可能に設けられている。この方杖部材１１の自由端には、半円状の切欠１２が形成されている。
また、スタンド７の自由端側には、補助スタンド１３が連結されている。この補助スタンド１３は、スタンド７の裏面側で水平軸１４に軸着されて、図４に示すようにスタンド７と延長上に突出する使用位置と、図２，３に示すようにスタンド７の裏面側へ重なる折り畳み位置との間を回転可能で、使用位置での上面側には、補助スタンド１３と直交する軸１５によって一対の脚１６，１６の基端が回転可能に軸着されている。この脚１６は、補助スタンド１３と干渉しない外側部分が肉厚となって、下面を補助スタンド１３の下面と同一面上に位置させるものである。
【００１０】
以上の如く構成された補助ローラ１においては、図５（Ａ）に示すように、電動ハンマ２０のハウジング２１にシャンク５を差し込み、同図（Ｂ）のようにリテーナ２５をシャンク５のフランジ６に係止させると、シャンク５が軸方向に抜け止めされてハウジング２１に連結される。よって、電動ハンマ２０はハウジング２１を下に向けた状態で補助ローラ１によって水平移動可能に支持され、電動ハンマ２０を持ち上げなくても、電動ハンマ２０の上部に設けた図示しないハンドルを持って引っ張れば、図２に示すようにローラ３，３が転動してハウジング２１の下方が追従し、電動ハンマ２０を水平移動させることができる。このとき、スタンド７は、脚１６，１６を閉じた状態で補助スタンド１３を折り畳み位置へ回転させるとコンパクトになるため、そのままシャンク５側の収納位置に倒せば移動の邪魔になることがない。
なお、ここでは、図５（Ｃ）に示すように、リテーナ２５が本体２の上面に当接するまでシャンク５がハウジング２１に押し込まれた状態でも、シャンク５の先端と中間子２４との間には隙間Ｓが残る設定となっているため、シャンク５の差し込み状態で電動ハンマ２０を誤って動作させてもシャフト５が中間子２４に打撃されるおそれはない。
【００１１】
一方、スタンド７を折り畳んだ状態から、補助スタンド１３を使用位置へ回転させて両脚１６，１６を所定角度に拡げ、方杖部材１１の切欠１２をシャンク５に当接させると、図６に示すように、補助ローラ１は、シャンク５が所定角度で上向きとなる姿勢で保持される。よって、シャンク５にハウジング２１が連結される電動ハンマ２０もそのまま同じ角度で保持され、電動ハンマ２０の一時置きが可能となる。よって、電動ハンマ２０を使用する場合はリテーナ２５を起こしてシャンク５から抜き取ればよいし、再び一時置きする場合はシャンク５をハウジング２１に差し込んでリテーナ２５を倒せばよい。
【００１２】
このように、上記形態の補助ローラ１によれば、本体２と、その本体２を移動可能に支持するローラ３とを備え、本体２の上部に、電動ハンマ２０のハウジング２１に差し込み可能なシャンク５を突設して、シャンク５をハウジング２１へビットに代えて差し込むことで、電動ハンマ２０をハウジング２１の下向き姿勢で支持可能としたことで、重量の大きい電動ハンマ２０でも楽に運搬や移動が可能となり、運搬時の安定も良好となる。また、補助ローラ１自体はコンパクトな構成で、電動ハンマ２０への装着もビットと同様にシャフト５の差し込みで足りるため、作業の邪魔になることがなく、着脱も容易となって使い勝手に優れる。
【００１３】
特に、シャンク５は、ハウジング２１への差し込み状態で電動ハンマ２０内の中間子２４が当接しない長さで形成されているため、補助ローラ１の使用状態で電動ハンマ２０が誤動作してもシャンク５が打撃されるおそれがない。
また、本体２に、シャンク５が上向きとなる姿勢で本体２を支持するスタンド７を、本体２を支持しない収納位置へ折り畳み可能に設けたことで、補助ローラ１によって電動ハンマ２０を縦姿勢で一時置きでき、より使い勝手が向上する。
【００１４】
なお、上記形態では、ローラは軸の左右に１つずつ設けているが、打撃工具の重量等によっては複数ずつ配置しても差し支えないし、逆に本体に軸の両端を保持させることで軸方向に長い単一のローラを使用することもできる。また、シャンクは本体に対して回転可能に設けるものに限らず、本体に固着したものであってもよい。
一方、スタンドは、補助スタンドをなくして脚を直接スタンドに設けてもよいし、脚もなくしてスタンドと方杖部材のみで構成してもよい。さらに、スタンドと本体とは着脱可能として、必要なときにのみスタンドを装着して使用することも考えられる。勿論スタンドの省略も可能である。
その他、本発明の補助ローラは、電動ハンマに限らず、ハウジングの先端にビットを挿着する打撃工具であれば、ハンマードリルに対しても適用可能で、また、中間子を用いずに打撃子が直接ビットを打撃するタイプであっても本発明の適用は差し支えない。
【図面の簡単な説明】
【００１５】
【図１】補助ローラ及び電動ハンマの説明図である。
【図２】補助ローラの使用状態を示す断面図である。
【図３】スタンドの説明図で、（Ａ）が上面、（Ｂ）が側面、（Ｃ）が底面を夫々示す。
【図４】補助スタンドを突出させたスタンドの説明図で、（Ａ）が上面、（Ｂ）が側面、（Ｃ）が底面を夫々示す。
【図５】（Ａ）〜（Ｃ）は夫々補助ローラの電動ハンマへの装着手順を示す説明図である。
【図６】スタンドを用いた補助ローラの使用状態を示す断面図である。
【符号の説明】
【００１６】
１・・打撃工具用補助ローラ、２・・本体、３・・ローラ、５・・シャンク、６・・フランジ、７・・スタンド、９・・角穴、１０・・回転軸、１１・・方杖部材、１２・・切欠、１３・・補助スタンド、１６・・脚、２０・・電動ハンマ、２１・・ハウジング、２３・・打撃子、２４・・中間子、２５・・リテーナ。
【図１】
2008279545.tif 000003
【図２】
2008279545.tif 000004
【図３】
2008279545.tif 000005
【図４】
2008279545.tif 000006
【図５】
2008279545.tif 000007
【図６】
2008279545.tif 000008